(57)【要約】【課題】ディスクの傷つき防止を図ったディスク搬送装置を提供すること。【解決手段】  搬送ローラを支持するローラ支持部材に摺接面を設け、この摺接面の上縁部をほぼ左右対称となるＶ形凹状に形成し、やや下方に向けて挿入されたディスクの下面側の外周縁を摺接面から摺接面の上縁部にかけて摺接させて搬送ローラとディスクガイドとの間に導くようにし、Ｖ形凹状の上縁部にディスクの外周縁部のみ接触させることにより記録面を摺接面や摺接面の上縁部に接触させないようにした。【選択図】図６
2008140429.tif 000002
【特許請求の範囲】
【請求項１】
長手方向をディスクの挿入方向に直交させて配置されたディスクガイド（５）と、このディスクガイドの下方位置にディスクの挿入方向に向かって上昇する向きに傾斜する摺接面（１３）を有するローラ支持部材（１０）と、前記ディスクガイドの長手方向と一致させて前記ローラ支持部材に回転自在に支持されたディスク搬送用の搬送ローラ（１２）とを具備し、前記ローラ支持部材は、ディスク挿入口より挿入されたディスクの外周縁が前記摺接面に当接した際、該ディスクを該摺接面から摺接面の上縁部にかけて摺接させて搬送ローラとディスクガイドとの間に導くものとするディスク再生機のディスク搬送装置において、
前記ローラ支持部材の摺接面の上縁部（１４）は、ディスク挿入口側から見てほぼ左右対称となるＶ形凹状に形成されていることを特徴とするディスク再生機のディスク搬送装置。
【請求項２】
前記ローラ支持部材は金属板製とし、前記摺接面の上縁部（１４）は金属板の山折り縁部にて形成され側方から見て湾曲していることを特徴とする請求項１に記載のディスク再生機のディスク搬送装置。
【発明の詳細な説明】
【技術分野】
【０００１】
本発明は、ディスクの記録面の傷つき防止を図ったディスク再生機のディスク搬送装置に関する。
【背景技術】
【０００２】
特開２００３−３３１４９５号公報には、ディスクプレーヤに関する次のような構成が開示されている。ディスク搬送用のローラ（１３）を、連結片（１４Ｃ）を有するローラブラケット（１４）に回転自在に支持し、挿入されたディスク（Ｄ）をローラ（１３）とガイドトップ（１２）との間で挟持し、ローラ（１３）の回転により該ディスク（Ｄ）を再生位置へ搬送するようにしている。
【０００３】
また、特開２００４−２６５４９４号公報には、次のような構成が開示されている。ディスク搬送用のローラ（１２）をローラブラケット（４）に回転自在に支持し、挿入されたディスク（Ｄ）をローラ（１２）とガイド部材（３）との間で挟持し、ローラ（１２）の回転により該ディスク（Ｄ）を再生位置へ搬送するようにしている。
ローラブラケット（４）は平板部（４ａ）を有し、この平板部（４ａ）の中央部から突出する幅の狭い爪部（４ｂ）を突出させ、この爪部（４ｂ）で、ディスク（Ｄ）がローラブラケット（４）とローラ（１２）との間に入り込むことを防止するようにしている。
【特許文献１】特開２００３−３３１４９５号
【特許文献２】特開２００４−２６５４９４号
【発明の開示】
【発明が解決しようとする課題】
【０００４】
特開２００３−３３１４９５号公報に開示されたディスクプレーヤでは、ディスクがやや下方に向けて挿入されたときに、該ディスクの外周縁をローラブラケット（１４）の連結片（１４ｃ）に当接させ、連結片（１４ｃ）から連結片（１４ｃ）の縁部にかけて摺接させてローラ（１３）とガイドトップ（１２）との間へ導くようになるものと思われる。この場合、ディスクの記録面が連結片（１４ｃ）の縁部に摺接することになるので、連結片（１４ｃ）の縁部で記録面を傷つける恐れがあった。  また、連結片（１４）を製造する過程で縁部にバリが生じ易いため、バリを生じさせない、又はバリを除去する対策を講じる必要もあった。
【０００５】
特開２００４−２６５４９４号公報に開示された構成では、ディスクがやや下方に向けて挿入されたときに、該ディスクの外周縁部をローラブラケット（４）の平板部（４ａ）から爪部（４ｂ）にかけて摺接させてローラ（１２）とガイド部材（３）との間に導くようになるものと思われる。
この場合、爪部（４ｂ）の幅が狭いため、ディスクが多少とも左方又は右方に偏って挿入されると、爪部（４ｂ）の左側縁または右側縁と平板部（４ａ）の縁部とにディスクの外周縁が摺接することになるので、ディスクが左方または右方へ傾いてしまい、ディスクを円滑に挿入できない恐れがあった。
また、ローラブラケット（４）の平板部（４ａ）は製造の過程で縁部にバリが生じ易いため、ディスクの外周縁を傷つける恐れもあり、たとえ外周縁といえども、ディスクを傷つけることは好ましくない。
【０００６】
本発明は、このような問題に鑑みてなされたもので、ディスクがやや下方に向けて挿入された場合でも、ディスクの記録面を損傷することのないディスク搬送装置を提供することを目的とする。
また、ディスクをたとえ外周といえども傷つけることのないディスク搬送装置を提供することを目的とする。
【課題を解決するための手段】
【０００７】
長手方向をディスクの挿入方向に直交させて配置されたディスクガイドと、このディスクガイドの下方位置にディスクの挿入方向に向かって上昇する向きに傾斜する摺接面を有するローラ支持部材と、前記ディスクガイドの長手方向と一致させて前記ローラ支持部材に回転自在に支持されたディスク搬送用の搬送ローラとを具備し、前記ローラ支持部材は、ディスク挿入口より挿入されたディスクの外周縁が前記摺接面に当接した際、該ディスクを該摺接面から摺接面の上縁部にかけて摺接させて搬送ローラとディスクガイドとの間に導くものとし、搬送ローラの回転により該ディスクを再生位置へ搬送するディスク再生機のディスク搬送装置において、前記ローラ支持部材の摺接面の上縁部は、ディスク挿入口側から見てほぼ左右対称となるＶ形凹状に形成する。
【０００８】
前記ローラ支持部材は金属板製とし、前記摺接面の上縁部は金属板の山折り縁部にて形成され側方から見て湾曲した形状にするとよい。
【発明の効果】
【０００９】
ローラ支持部材の摺接面縁部は、ディスク挿入口側から見てほぼ左右対称となるＶ形凹状に形成されているので、ディスクがやや下方に向けて挿入されて、ディスクの外周縁が摺接面に当接した場合でも、ディスクの外周縁が摺接面から摺接面の上縁部にかけて摺接することになり、ディスクの記録面が傷つくことはない。
【００１０】
前記ローラ支持部材を金属板製とすれば、プレス加工で容易に製造でき、かつ、強度を得ることもできる。
この場合、摺接面の上縁部を金属板の山折り縁部とすれば、該上縁部が側方より見て湾曲した形状となり、該上縁部にバリが発生しないので、ディスクの外周縁も傷つけることはない。
【発明を実施するための最良の形態】
【００１１】
以下、本発明の搬送装置を実施するための最良の形態を、図面を参照して説明する。
図１はディスク搬送装置を内蔵したディスク再生機を示すものである。ディスク再生機の外筐１には天板が設けられ、そのほぼ中央の下面側に図示しないクランパが設けられている。また、外筐１内には、前記クランパの下方位置に、図示しないターンテーブルが配置されている。
【００１２】
外筐１の前板にはディスク挿入口３が設けられている。図中Ａは、ディスクＤの挿入方向を示している。また、天板の前記ディスク挿入口３に近い部位を部分的に凹ませて、この部分をガイドプレート４としている。このガイドプレート４はディスクガイド５（図２参照）の一部を構成する。図２は、ディスクガイド５を下方より見た斜視図である。ガイドプレート４と、このガイドプレート４の下面に取り付けられた４つのガイド突条６，７，８，９とで、ディスクガイド５が構成されている。
これら４つのガイド突条６，７，８，９は、ディスクＤの挿入方向Ａに対して手前側と奥側位置に左右各一対ずつ、各長手方向を左右に向けて配置され、各ガイド突条６，７，８，９の長手方向、すなわち、ディスクガイド５の長手方向をディスク挿入方向に直交させている。各ガイド突条６，７，８，９の下面は、ガイドプレート４の左右方向中心部側の端部から左右方向端部へ向かうにつれて上方へ傾斜させている。
【００１３】
図３に示すように、前記ディスクガイド５の下方位置には、金属板製のローラ支持部材１０が配置されている。
図４は、摺接板１１を水平に置いた状態で見たローラ支持部材１０及び搬送ローラ１２の平面図である。図４に示すように、ローラ支持部材１０は、左右に長い矩形状の摺接板１１の左右に、上方向へ立ち上がる側板２８，２９を有し、両側板２８，２９の延長部間で搬送ローラ１２の両端部を回転自在に支持している。図３の如く、各側板２８，２９（側板２８のみ図示）は前記外筐１内に上下方向回動自在に取り付けられ、搬送ローラ１２を前記ディスクガイド５のガイド突条６，７，８，９（ガイド突条６，８のみ図示）に対して平行に保持している。そして、ローラ支持部材１０の上下回動により、搬送ローラ１２を前記ディスクガイド５に対して接離させるようにしている。図３および図４に示すように、前記摺接板１１の上面は摺接面１３とし、この摺接面１３は、搬送ローラ１２が図３に示す最上位置にある状態で、ディスクＤの挿入方向Ａに向かって上昇する向きに傾斜し、側方より見ると、水平方向に対して約４０°傾斜している。摺接面１３の、前記搬送ローラ１２に対向する上縁部は図３の如く裏面側に向けて折曲げ形成され、その山折り縁部１４は、側方より見ると図３の如く湾曲しており、また図４（平面図）で見ると、ほぼ左右対称となるＶ形凹状となっている。この山折り縁部１４は、平面図上において搬送ローラの軸心線１５に対し約１°傾斜している。
【００１４】
前記搬送ローラ１２は、図４の如く右端にギヤ１６を有し、このギヤ１６に図示しないモータからの動力を入力して回転し、ディスクを搬送するもので、軸方向の中央から各端に向かうにつれて漸次大径となるようにテーパ状に形成されている。
【００１５】
前記ガイドプレート４の上面には、図１に示すように、左右一対のディスク検出部材１７，１８が水平回動自在に取付けられている。各ディスク検出部材１７，１８は、ディスク挿入口３の近傍まで延長された一端に検出部１９，２０を有している。また、両ディスク検出部材１７，１８は互いに噛合する一対の連結ギヤ２１，２２を介して連結されている。これらの連結ギヤ２１，２２は、両ディスク検出部材１７，１８を同期回動させるものである。前記検出部１９，２０は、各連結ギヤ２１，２２と各ディスク検出部材１７，１８との間に掛け渡されたスプリング２３により、互いに接近する方向に付勢されている。
【００１６】
次にディスク搬送装置の動作について説明する。
図１の如く、ディスク挿入口３よりディスクＤを、ディスク検出部材１７，１８の検知部１９，２０間を押し広げながら挿入すると、ディスク検出部材１７，１８の回動によりディスクＤが挿入されたことを検知して図示しないモータが起動する。そして図３の如く、搬送ローラ１２が図中における時計方向に回転する。そして、ディスクＤが搬送ローラ１２に達すると、ディスクＤは搬送ローラ１２の回転により挿入方向に吸い込まれ、搬送ローラ１２はディスクＤによって押し下げられて、ディスクガイド５と搬送ローラ１２とでディスクＤを挟持する。そして、ディスクＤは再生位置まで搬送される。
【００１７】
ところで、ディスクＤを挿入する際に、図３に実線で示す如くほぼ水平方向に挿入されてディスクガイド５と搬送ローラ１２との間に達するのが望ましいが、ディスクＤが図３にＤ１として示す如く、やや下方に向けて挿入された場合には、ディスクＤの下面側外周縁の最先部２４がローラ支持部材１０の摺接面１３に当接することになる。この状態でディスクＤを押し込むと、最先部２４を摺接面１３に摺接させながら挿入されていく。このとき、摺接面１３が傾斜しているので、ディスクＤの記録面は摺接面１３に接触しない。
【００１８】
そして図３にＤ２で示すように、ディスクＤの最先部２４が摺接面１３の上縁部（山折り縁部１４）から外れると、図５に示すようにディスク外周縁の２箇所２５に摺接するようになる。図６は、図５を矢印Ｂ方向より見た説明図（山折り縁部１４の傾き角を大きく誇張して示している。）であるが、山折り縁部１４は、このように左右対称となるＶ形凹状に形成されているので、ディスクＤの記録面は山折り縁部１４に接触しない。なお、外径１２０ミリのディスクの場合、情報記録領域の外径は１１６ミリで、記録領域の外側には幅２ミリの無記録領域がある。従って、山折り縁部１４の搬送ローラ軸心線１５に対する傾斜角度は僅かであっても、ディスクＤの記録面が山折り縁部１４に接触するおそれはない。
また、摺接面１３の縁部にバリが生じていると、そのバリによってディスクＤの外周縁を傷つけるおそれがあるが、山折り縁部１４は図３の如く側方より見て湾曲しているので製造時にバリが生じることはなく、ディスクの外周縁を傷つけることもない。
【００１９】
ディスクＤの挿入が、図３におけるＤ２の位置からさらに進むにつれて、山折り縁部１４と接触する2箇所２５，２５（図５参照）の間隔が徐々に開いていく。そして、ディスクＤの最先部２４が次第に上昇して、ディスクＤは水平状態に近づいていき、搬送ローラ１２に当接する。そしてディスクＤは搬送ローラ１２の回転により挿入方向に吸い込まれ、ディスクガイド５と搬送ローラ１２とで挟持されて再生位置まで搬送されることになるが、搬送ローラ１２は軸方向の中央から各端に向かうにつれて漸次大径となるテーパ状に形成されているので、ディスクＤは、搬送ローラ１２に対しても、外周縁部のみ接触し、記録面が接触することはない。
【００２０】
また、ディスクガイド５のガイド突条６，７，８，９は、下面側を、ガイドプレート４の左右方向中心部から左右方向端部へ向かうにつれて下方へ傾斜させているので、ディスクの上面側においても、ディスク外周縁２５のみガイド突条６，７，８，９に接触する。したがって、上下両面を記録面とするディスクを使用する場合であっても、上下いずれの記録面も搬送ローラ１２やディスクガイド５によって傷つけることはない。
【図面の簡単な説明】
【００２１】
【図１】本発明の一実施態様を示すディスク再生機の内部機構の斜視図。
【図２】ディスクガイドを裏返しにして見た斜視図。
【図３】ディスクガイド周辺部の側断面図。
【図４】ローラ支持部材および搬送ローラの平面図。
【図５】ローラ支持部材とディスクとの関係を示す平面図。
【図６】図５を矢印Ｂ方向より見た説明図。
【符号の説明】
【００２２】
５                 
ディスクガイド
１０                ローラ支持部材
１２                搬送ローラ
１３                摺接面
１４                山折り縁部
【図１】
2008140429.tif 000003
【図２】
2008140429.tif 000004
【図３】
2008140429.tif 000005
【図４】
2008140429.tif 000006
【図５】
2008140429.tif 000007
【図６】
2008140429.tif 000008